(57)【要約】  本発明は、電気自動車補助ユニット（１０）に関する。電気自動車補助ユニット（１０）は、少なくとも部分的に電気導電性を有する補助ユニットハウジング（１５）を備え、ハウジング内には、ステータ側モータコイル（３０）を備える電気駆動モータ（１４）と、駆動モータ（１４）によって動く集合機構（１２）と、駆動モータ（１４）を制御する制御及びパワー用エレクトロニクス（３７）を備えたモータエレクトロニクスを有するモータエレクトロニクス回路基板（４０）が設けられている。モータエレクトロニクス回路基板（４０）は、少なくとも１つのハウジング接地接続部（６０）を有し、この接地接続部は、ハウジング接地器官（４８）を介して、補助ユニットハウジングに導電的な態様で直接接続されている。モータ制御エレクトロニクス回路基板（４０）は、プラグ接続部（４６）を介してモータ制御ユニットに接続可能である。プラグ接続部（４６）は、少なくとも２つのプラグピン（４８、５４、６８、６０）を有するパンチくし型配列（４４）を介して、モータ制御エレクトロニクス回路基板（４０）に電気的に接続される。ハウジング接地器官は、パンチくし型配列（４４）のプラグピン（４８）として設計されている。【選択図】  図１
2021515517.tif 000002
【特許請求の範囲】
【請求項１】
少なくとも部分的に導電性を呈するように構成された補助ユニットハウジング（１５）を備える電気自動車補助ユニット（１０）であって、
前記補助ユニットハウジング（１５）には、
ステータ側モータコイル（３０）を有する電気駆動モータ（１４）と、
前記駆動モータ（１４）により駆動される集合機構（１２）と、
前記駆動モータ（１４）を制御する制御及びパワー用エレクトロニクス（３７）を含むモータエレクトロニクスを備えたモータエレクトロニクス基板（４０）とが設けられ、
前記モータエレクトロニクス基板（４０）は、少なくとも１つのハウジング接地接続部（６０）を備え、前記ハウジング接地接続部は、ハウジング接地素子（４８）を介して前記補助ユニットハウジング（１５）に直接的に導電性を呈する態様で接続され、
前記モータ制御エレクトロニクス基板（４０）は、プラグ接続部（４６）を介してエンジン制御ユニットに接続することができ、
前記プラグ接続部（４６）は、少なくとも２本のプラグピン（４８、５４、５８、６０）を有するパンチくし型配列（４４）を介して、前記モータ制御エレクトロニクス基板（４０）に電気的に接続され、
前記ハウジング接地素子は、前記パンチくし型配列（４４）のプラグピン（４８）として設計される、電気自動車補助ユニット。
【請求項２】
前記パンチくし型配列（４４）は、プラスチック材料で押出コーティングされている、請求項１記載の電気自動車補助ユニット。
【請求項３】
前記プラグピン（４８）の自由端は、前記補助ユニットハウジング（１５）の導電性ハウジング部（５２）の凹部（５０）に挿入されることを特徴とする請求項１または２に記載の電気自動車補助ユニット。
【請求項４】
前記パンチくし型配列（４４）は、前記モータ制御エレクトロニクス基板（４０）から略径方向外方に向けられていることを特徴とする請求項１から３のいずれか１項に記載の電気自動車補助ユニット。
【請求項５】
前記パンチくし型配列（４４）を介して前記エンジン制御部に接続可能な車両接地素子（５４）が設けられていることを特徴とする請求項１から４の何れか１項に記載の電気自動車補助ユニット。
【請求項６】
前記モータ制御エレクトロニクス基板（４０）から始まって、共通のプラグピン部（５６）が、前記ハウジング接地素子（５４）及び前記車両接地素子（４８）用に設けられていることを特徴とする請求項５に記載の電気自動車補助ユニット。
【請求項７】
導電性隔壁（２０）が、前記補助ユニットハウジング（１５）内に配置されると共に、前記ハウジング（１５）に電気的に接続され、前記隔壁は、モータエレクトロニクス室（１７）を、前記駆動モータ（１４）及び／又は前記ユニット機構（１２）から分離することを特徴とする請求項１から６のいずれか一項に記載の電気自動車補助ユニット（１０）。
【請求項８】
前記ユニット機構（１２）は、ポンプロータ（２４）とポンプステータ（２２）とを備える液体ポンプであり、前記隔壁（２０）は、前記液体ポンプによって送り込まれる液体によって直接冷却されることを特徴とする請求項７に記載の電気自動車補助ユニット（１０）。
【請求項９】
所定の厚さＤを有する非導電性熱伝導層（４２）が、前記モータエレクトロニクス回路基板（４０）と前記隔壁（２０）との間に設けられている請求項６または７に記載の電気自動車補助ユニット（１０）。
【発明の詳細な説明】
【技術分野】
【０００１】
本発明は、独立請求項の前文に画定された電気自動車補助ユニットに関し、例えば、電気駆動ポンプ、特に液体ポンプ、電気バルブ、電気フラップ、または他の電気アクチュエータに関する。
【背景技術】
【０００２】
自動車内の多数の小型及び大型の電気部品及び自動車補助ユニットは、電気自動車補助ユニットの電気干渉抑制に非常に高い需要を作っている。モータエレクトロニクス室には、モータエレクトロニクスと、特にモータコイルの制御のためのパワーエレクトロニクスとを備えるモータエレクトロニクス基板が配置されている。多くの電気補助ユニット、特にポンプは、モータエレクトロニクス室が、モータコイルを含むと共に、電気駆動モータに隣接するように構成されている。駆動モータは、モータコイルを含み、モータエレクトロニクス室とは、互いに、仕切りによって分離されている。
【０００３】
電気干渉抑制における重要な対策は、導電性ハウジングと、モータエレクトロニクス基板上の回路接地との、互いの、さらには車両の電気接地との良好で低抵抗の接地接触である。
【０００４】
冷却剤ポンプとして設計された電気自動車補助ユニットが知られている（特許文献１）。
【０００５】
モータブラシが、オプションとして、抑制チョークを介して、車両接地又は車両バッテリ電圧に接続されている機械的整流ＤＣモータが知られている（特許文献２）。
【０００６】
回路基板または回路基板接地を金属ハウジングに電気的および機械的に接続する３アーム接地コネクタが知られている（特許文献３）。
【０００７】
モータエレクトロニクス回路基板が仕切り壁上にその非装備サイドによって固定されている電動冷却剤ポンプが開示されている（特許文献４）。
【０００８】
導電性ハウジングを備える電子的整流電気モータ用の干渉抑制装置が開示される（特許文献５）。係る装置において、ハウジング接触、モータ接続及び電源の各々のために分離された接触パッドが、干渉抑制回路基板上に設けられており、前記パッドはフィルタ素子によって互いに接続されている。
【先行技術文献】
【特許文献】
【０００９】
【特許文献１】欧州特許出願第２４７６９１４  Ａ１号明細書
【特許文献２】欧州特許出願第２０５３７２６  Ａ２号明細書
【特許文献３】ドイツ国特許第１９７２８２９１号明細書
【特許文献４】欧州特許第２１８７７１８号明細書
【特許文献５】米国特許第５９８２２５３号明細書
【発明の概要】
【発明が解決しようとする課題】
【００１０】
本発明の目的は、ハウジング接地要素が特に簡単な方法で設計され、故に組立が簡単で安価な、電気駆動モータを備える干渉のない電気自動車補助ユニットを提供することである。
【課題を解決するための手段】
【００１１】
上記目的は、ハウジング接地素子が、パンチくし型配列のプラグピンとして設計されることによって達成される。したがって、接地接続を迅速かつ直接的に行うことができる。短く且つ低抵抗の接地接続のため、ＥＭＣの改善が達成できる。接地接続用のネジを省略したため、部品が削減でき、製造工程を短縮できる。また、組立工程としてのネジ止めを省略することができ、時間短縮に加え、切りくずがないためクリーン度の向上につながる。ねじの省略は、基板上のスペースの節約にもつながる。
【００１２】
電気自動車補助ユニットは、基本的には任意の種類の補助ユニットとすることができる。例えば、電気バルブ、電気フラップ又は他の電気アクチュエータ、又は流体ポンプ、特に液体ポンプ、具体的には潤滑剤ポンプ、冷却液ポンプ又は燃料ポンプである。駆動モータは、液体ポンプの場合にはドライランナーとして構成することができるが、特にウェットランナーとしても構成することができる。
【００１３】
電気自動車補助ユニットは、複数のモータコイルを備えた電気駆動モータと、駆動モータによって駆動されるユニット機構と、駆動モータの制御のためのモータエレクトロニクスを備えたモータエレクトロニクス基板とを備える。本明細書で使用されるように、ユニット機構は、集合配列、すなわち、例えば、アクチュエータの場合のトランスミッション、ポンプの場合のポンプロータおよびポンプステータなどを指す。
【００１４】
さらに、補助ユニットハウジングの少なくとも一部は導電性であり、故に、モータ電子回路基板上に配置された駆動モータ、並びに制御およびパワーエレクトロニクスが、電気的にシールドされる。
【００１５】
特に有利な態様で、パンチングくし型配列は、プラスチック材料で押出コーティングされており、これにより組立てを再度簡単にすることができる。プラグピンの自由端が、補助ユニットハウジングの導電性ハウジング部の凹部に挿入されるという事実により、アセンブリを更に簡略にすることができる。
【００１６】
パンチングくし型配列は、エンジン制御エレクトロニクス基板から始まって、ほぼ半径方向外側に向けられることが好ましい。これは、駆動モータが回転する長軸を有するほぼ円筒状ハウジングに基づいている。接地接続ラインの半径方向配列は、外部への最短の可能な接続であり、故に、車両側の車両接地への最短の接続である。
【００１７】
有利な実施形態では、パンチくし型配列を介してエンジン制御ユニットに接続されるようになっている車両接地素子が設けられている。これは、ハウジングの電磁シールド性をさらに向上させる。エンジン制御エレクトロニクス基板から始まり、共通コネクタピン部を、ハウジング接地素子及び車両接地素子のために設けることができる。
【００１８】
好ましくは、導電性隔壁が、補助ユニットハウジング内に配置される。導電性隔壁は、導電性ハウジングに電気的に接続される。隔壁は、モータエレクトロニクスを含むモータエレクトロニクス基板が配置されるモータエレクトロニクス室を、駆動モータおよび／またはユニット機構から分離する。隔壁は、更なるシールドであり、例えば、モータエレクトロニクス回路基板に直接隣接しており、故に、特に有効な電磁シールドである。
【００１９】
好ましくは、ユニット機構は、ポンプロータとポンプステータとを備える液体ポンプであり、隔壁は、液体ポンプによってポンプされる液体によって直接冷却される。設計について、これは、隔壁に直接隣接した液体ポンプで達成できるため、液体が隔壁の周りを常時流れ、高い冷却能力で隔壁を冷却する。代替例として、駆動モータは、隔壁に隣接することができ、モータロータは、ウェットランナーとして構成される。したがって、モータロータを取り囲む液体も、隔壁を直接洗浄して冷却する。
【００２０】
モータコイルを制御するために、モータエレクトロニクス基板上のモータエレクトロニクスは、パワーセミコンダクタを含み、設計によっては、１２０〜１５０℃の固有温度を超えてはならない。その理由は、この温度を超えるとモータエレクトロニクスが破壊される可能性があるためである。モータエレクトロニクスは、良好な電磁互換性を保証し、モータエレクトロニクスを外部の影響から保護するために、通常、気密封止されたモータエレクトロニクス室内に収容されるので、専用の空冷ハウジングを介した冷却は、限られた範囲でのみ可能である。隔壁の側面をポンプ流体で洗浄することにより、冷却能力が著しく増加する。
【００２１】
モータエレクトロニクス基板は、所定の一定の厚みＤを有する電気的に非導電性の熱伝導層を介して隔壁に接続されることが特に好ましい。熱伝導層は、熱伝導性ペーストによって形成することができるが、モータエレクトロニクス基板を隔壁上に永久的に固定する熱伝導性の接着剤によって形成することもできる。
【図面の簡単な説明】
【００２２】
【図１】図１は、モータエレクトロニクス基板を含む電気自動車補助ユニットの概略的な長手方向断面を示す。
【図２】図２は、隔壁を有しない図１の電気自動車補助ユニットのモータエレクトロニクス基板の斜視図である。
【発明を実施するための形態】
【００２３】
本発明の実施の形態を、図面を参照して以下により詳細に説明する。
【００２４】
図１は、電気自動車補助ユニット１０の概略図である。本実施の形態では、電気冷却剤ポンプとして構成されている。しかしながら、基本的に、電気自動車補助ユニットは、別のタイプの電気ポンプ、電気バルブ、電気フラップ又は別のタイプの補助ユニットとして構成することもできる。
【００２５】
長手方向に見ると、本発明の電気自動車補助ユニット１０は、ユニット機構１２と、電気駆動モータ１４と、エンジンエレクトロニクス部１６との領域に分割される。ユニット機構１２は、ポンプロータ２４とポンプステータ２２とを備える。電気駆動モータ１４は、複数のステータ側モータコイル３０と永久励起モータロータ３２とによって実質的に形成される。モータエレクトロニクス室１７がモータエレクトロニクス部１６内に設けられている。この室内には、モータエレクトロニクス回路基板４０が配置されている。モータエレクトロニクス回路基板４０は、駆動モータ１４の制御及び調整、特にモータコイル３０を駆動するための制御及びパワー用エレクトロニクス３７を備える。モータコイル３０は、複数の接続線３５を介してモータエレクトロニクス基板４０に電気的に接続されている。
【００２６】
ポンプロータ２４及びモータロータ３２は、ロータシャフト２６に接して配置されている。駆動モータ１４は、モータロータ３２が配置されている湿潤領域を、モータコイル３０が配置されている環状乾燥領域から分離する円筒缶３４を有する。従って、駆動モータ１４は、いわゆるキャンドモータとして、又はウェットランナーとして設計されている。
【００２７】
自動車補助ユニット１０は、ハウジング１５を備える。ハウジング１５は、実質的に、円筒形ハウジングシリンダ２５と、ポンプ側ハウジングカバー１１と、エレクトロニクス側ハウジングカバー１３とによって形成される。内部隔壁１８が、ハウジング１５内には設けられており、この隔壁は、横断面内に位置し、ユニット機構１２のポンプチャンバを駆動モータ１４から仮想的に閉じている。しかし、ユニット機構１２によって汲み上げられた液体は、湿潤チャンバに流入し、湿潤チャンバから流出することもできる。さらに、横断面内に横たわるさらなる隔壁２０は、補助ユニットハウジング１５内に配置され、モータエレクトロニクス室１６を駆動モータ１４から気密に分離する。ハウジング１５及び隔壁２０の全ての部品は、例えばアルミニウムのような導電性金属で作られている。
【００２８】
モータエレクトロニクス基板４０は、熱伝導層４２によって放熱壁２０に接着される。熱伝導層４２は、熱伝導性接着剤であり、所定の一定の厚さＤを有する。
【００２９】
符号４４は、エンジン制御エレクトロニクス基板４０を、プラグ接続部４６を介して、詳細を図示しないエンジン制御ユニットに接続するパンチングくし型配列を明らかにする。本発明によれば、パンチングくし型配列４４のプラグピン４８が、ハウジング接地素子として構成され、その自由端は、補助ユニットハウジング１５の導電性ハウジング部５２の凹部５０に挿入されるように設けられている（特に図２も参照）。基本的に、パンチングくし型配列４４は、エンジン制御エレクトロニクス基板４０を始点として半径方向外側に向けられている。効果的な態様において、パンチングくし型配列４４は、プラスチック素子５８と共に押出コーティングされている。
【００３０】
図２は、図１の電気自動車補助ユニット１０のモータエレクトロニクス基板４０の斜視図であり、隔壁２０の無いパンチくし型配列４４を示す。ハウジング接地素子４８に加えて、車両接地素子５４が設けられる。車両接地素子５４は、パンチくし型配列４４を介してエンジン制御ユニットに接続することができる。このようにして、電磁シールドを改善することができる。エンジン制御エレクトロニクス基板４０から始まり、共通コネクタピン部５６が、ハウジング接地素子５４及び車両接地素子４８に設けられている。図２から分かるように、更なるコネクタピン５８、６０が、モータ制御エレクトロニクス基板４０の制御のために設けられている。
【符号の説明】
【００３１】
１０  電気自動車補助ユニット
１２  集合機構
１４  電気駆動モータ
１５  補助ユニットハウジング
３０  ステータ側モータコイル
３７  制御及びパワー用エレクトロニクス
４０  モータエレクトロニクス基板
４４  パンチくし型配列
４６  プラグ接続部
４８  ハウジング接地素子
４８、５４、５８、６０  プラグピン
６０  ハウジング接地接続部
【図１】
2021515517.tif 000003
【図２】
2021515517.tif 000004
【国際調査報告】
2021515517.tif 000005
2021515517.tif 000006
2021515517.tif 000007
2021515517.tif 000008
2021515517.tif 000009
2021515517.tif 000010